(57)【要約】      （修正有）【課題】カードを挿入するや取り出す過程において、放熱シートと摩擦することにより、カードが損害されることを防止できる放熱器付きコネクタ構造を提供する。【解決手段】後端に、複数の電気ピンが設置され、両側に、１対のガイドアームが設置され、また、案内槽が設置され、上ストッパーと下ストッパーがあり、また、弾性素子が設置されるフレームと、両サイドアームに、それぞれ、案内柱が設置され、また、該ガイドアームが可動に該フレームに結合されることにより、該斜めの案内槽内に収納され、後端に、更に連動ブロックが設置される下押え機構と、該下押え機構に固定される放熱シートと、含有され、カードが挿入されることにより、下押え機構が連動され、その案内柱が移動し、最後に、放熱シートとカードの上表面が接触し、カードに生成した熱が、放熱シートを介して放熱され、カードを取り出す時、上ストッパーまで戻すと、カードから離れる。【選択図】図３
0003132340.tif 000002
【実用新案登録請求の範囲】
【請求項１】
少なくとも、後端に、複数の電気ピンが設置され、両側に、１対のガイドアームが設置され、また、該ガイドアームに、対応する斜めの案内槽が設置され、該斜めの案内槽内に、上ストッパーと下ストッパーがあり、また、弾性素子が設置されるフレームと、両サイドアームに、それぞれ、案内柱が設置され、また、該ガイドアームが可動に該フレームに結合されることにより、該斜めの案内槽内に収納され、後端に、更に連動ブロックが設置される下押え機構と、該下押え機構に固定される放熱シートとが含有される、ことを特徴とする放熱器付きコネクタ構造。
【請求項２】
該弾性素子が、該フレームの後端の内側に設けられ、該連動ブロックが、弾性素子の前方に設けられることにより、該下押え機構の該案内柱が、使用する前、該上ストッパーに位置し、また、該フレームが、ＰＣＭＣＩＡカードコネクタやＣＦカードコネクタであることを特徴とする請求項１に記載の放熱器付きコネクタ構造。
【請求項３】
該フレームに更にカード戻し機構が設置され、該カード戻し機構に、支軸で連動シートが連接される底枠と、圧迫コンロッドが連接されるコンロッドとが含有され、また、該連動シートに、更に、１対のストッパーが設置され、また、該ストッパーが、該連動ブロックの前方や後方に設けられることを特徴とする請求項１に記載の放熱器付きコネクタ構造。
【請求項４】
該放熱シートの底部に伝熱材が介在し、該伝熱材が、石墨や伝熱シリカゲルシート或いは玻璃繊維基材からなることを特徴とする請求項１に記載の放熱器付きコネクタ構造。
【考案の詳細な説明】
【技術分野】
【０００１】
本考案は、コネクタ構造に関し、特に、放熱器付きコネクタ構造に関する。
【背景技術】
【０００２】
電子部材によって消費されたパワーが、信号に変換される時、廃熱が生成され、それらの廃熱に、電子部材の耐用寿命が係われ、温度が高ければ、電子素子の耐用寿命が短くなり、そのため、電子素子は、いかに完璧な放熱装置を設置して、放熱することが、重要な課題であり、放熱効果が悪ければ、素子が長時間に作動できなくなり、また、システム全体が不安定になる。
【０００３】
図１を参照しながら、従来のカード用コネクタは、放熱装置とカードとを接触することにより、放熱の目的を達成するが、該コネクタ１は、コネクタ部３に挿入されたカードＣの一面に接触する放熱装置２と、放熱装置２を前記のカードＣの一面に付勢する弾性装置４と、カム部６がある圧迫棒５とが含有され、カードＣが挿入されると、放熱装置２が、カードＣの一面から退避して、第１のカム面７に作用し、カードＣが排出される時、放熱装置２が、カードＣの一面から退避して、第２のカム面８に作用し、上記の機構は、ＰＣＭＣＩＡカードに合わせて、ＰＣＭＣＩＡカードが挿入される時、放熱装置２が、該ＰＣＭＣＩＡカードの表面に密着し、上記の装置は、片方だけに該カム部６があり、また、係合の過程において、放熱装置２とＰＣＭＣＩＡカードの表面とが摩擦するため、長期に使用すると、カード自身が損害され、そのため、設計に解決しなければならない問題点があり、また、適用できる範囲が制限される。
【考案の開示】
【考案が解決しようとする課題】
【０００４】
本考案の主な目的は、下押え機構の案内柱が、可動に落差を有する斜めの案内槽に結合されることにより、ＰＣＭＣＩＡカードが底まで挿入されてから、放熱シートを下押えてＰＣＭＣＩＡカードの表面に密着し、これにより、ＰＣＭＣＩＡカードが、挿入や抜き出しによる、放熱シートと摩擦することにより、損害されることを防止でき、更に、有効的に該ＰＣＭＣＩＡカードを保護できる放熱器付きコネクタ構造改良を提供する。
【課題を解決するための手段】
【０００５】
請求項１の考案は、少なくとも、後端に、複数の電気ピンが設置され、両側に、１対のガイドアームが設置され、また、該ガイドアームに、対応する斜めの案内槽が設置され、該斜めの案内槽内に、上ストッパーと下ストッパーがあり、また、弾性素子が設置されるフレームと、両サイドアームに、それぞれ、案内柱が設置され、また、該ガイドアームが可動に該フレームに結合されることにより、該斜めの案内槽内に収納され、後端に、更に連動ブロックが設置される下押え機構と、該下押え機構に固定される放熱シートと、が含有されることを特徴とする放熱器付きコネクタ構造である。
【０００６】
請求項２の考案は、該弾性素子が、該フレームの後端の内側に設けられ、該連動ブロックが、弾性素子の前方に設けられることにより、該下押え機構の該案内柱が、使用する前、該上ストッパーに位置し、また、該フレームが、ＰＣＭＣＩＡカードコネクタやＣＦカードコネクタであることを特徴とする請求項１に記載の放熱器付きコネクタ構造である。
【０００７】
請求項３の考案は、該フレームに更にカード戻し機構が設置され、該カード戻し機構に、支軸で連動シートが連接される底枠と、圧迫コンロッドが連接されるコンロッドとが含有され、また、該連動シートに、更に、１対のストッパーが設置され、また、該ストッパーが、該連動ブロックの前方や後方に設けられることを特徴とする請求項１に記載の放熱器付きコネクタ構造である。
【０００８】
請求項４の考案は、該放熱シートの底部に伝熱材が介在し、該伝熱材が、石墨や伝熱シリカゲルシート或いは玻璃繊維基材からなることを特徴とする請求項１に記載の放熱器付きコネクタ構造である。
【考案を実施するための最良の形態】
【０００９】
図２、３、３Ａのように、本考案は、フレーム１０と下押え機構１２、放熱シート１４及び伝熱材１１が含有される。図のように、本考案の実施例のフレーム１０は、ＰＣＭＣＩＡカードコネクタであり、フレーム１０の後端に、カードに電気的に接続するための一列の電気ピン１０１が設置され、また、該フレーム１０の両側に、１対のガイドアーム１０２が設置され、また、ガイドアーム１０２に、斜めの案内槽１０３が設置され、該斜めの案内槽１０３内に、それぞれ、上ストッパー１０３ａと下ストッパー１０３ｂとがあり、フレーム１０の内側に、更に、カードを容易に挿入するためのガードレール１０４が設置され、また、ガードレール１０４の後端に、弾性素子１０６が設置され、該弾性素子１０６により、該下押え機構１２が定位され、そして、フレーム１０の回りに、複数のネジ１０５が設置され、これにより、該フレーム１０が、安定的に回路基板に設置される。
【００１０】
下押え機構１２は、ガイドアーム１０２により、可動に該フレーム１０に結合され、また、放熱シート１４が、該下押え機構１２に設置され、放熱シート１４に、縦方向や横方向の放熱フィン１４１が設置され、該下押え機構１２の両サイドアーム１２１に、それぞれ、該斜めの案内槽１０３内に収納される案内柱１２２が設置され、また、下押え機構１２の後端において、対応する連動ブロック１２３が設置され、該連動ブロック１２３は、フレーム１０の後端の内側の弾性素子１０６の前方に設置される。
【００１１】
伝熱材１１は、放熱シート１４の底部に介在し、例えば、石墨や伝熱シリカゲル片或いは玻璃繊維基材等の緩衝材質からなり、主な作用は、カードの熱を放熱シート１４へ伝熱することで、放熱シート１４とカードとが、硬い材質であるため、伝熱材１１を使用すると、放熱シート１４とカードとの密着度が向上されるだけでなく、放熱シート１４とカードとが連接される時の摩擦が低減される。
【００１２】
図４Ａと４Ｂのように、カード１６が、底まで押えていない時、フレーム１０の後端にある１対の弾性素子１０６が、連動ブロック１２３に抵当することにより、該下押え機構１２の案内柱１２２が、該上ストッパー１０３ａに位置するようになり、放熱シート１４の下方の伝熱材１１とカード１６との間に、落差距離Ｌがあり、これにより、カード１６が容易に挿入される。カード１６が、ガードレール１０４に沿って底部の近くまで挿入される時、フレーム１０内において、連動ブロック１２３に接触し、これにより、下押え機構１２が連動され、案内柱１２２が、斜めの案内槽１０３に沿って、少しずつ後へ、そして、下へ移動し、最後に、伝熱材１１とカード１６の表面が接触し、図５Ａと５Ｂのように、カードに生成した熱が、放熱シート１４を介して放熱される。カード１６を引き出す時、弾性素子１０６により、下押え機構１２と放熱シート１４とが、少しずつ、前へ、そして、上へ移動して、上ストッパー１０３ａまで戻ると、カード１６から離れる。カード１６が移動する過程において、放熱シート１４とその底部にある伝熱材１１が、カード１６と接触して摩擦することがないため、カードが損害されることがない。
【００１３】
図６と７Ａ〜７Ｃのように、本考案の他の実施例は、更に、カード戻し機構１８が含有され、該カード戻し機構１８は、フレーム１０の底部に設置され、該カード戻し機構１８は、底枠１８１があり、該底枠１８１は、支軸１８２により連動シート１８３とコンロッド１８４が連接され、また、該コンロッド１８４に、圧迫コンロッド１８５が連接され、また、連動シート１８３の後方に、１対のストッパー１８６が設置され、該ストッパー１８６が、連動ブロック１２３の後方か前方に設けられる。カード１６が挿入されて下押え機構１２の連動ブロック１２３を押えていない時、下押え機構１２の案内柱１２２が、斜めの案内槽１０３の上ストッパー１０３ａに位置し、放熱シート１４とその下方の伝熱材１１とカード１６の表面とが、距離Ｌに離れ、カード１６と接触しないため、摩擦することがない。図８Ａ〜８Ｃのように、カード１６が続いて押し入れられると、連動ブロック１２３が押され、下押え機構１２が連動されてその案内柱１２２が斜めの案内槽１０３に沿って少しずつ下へそして後へ下ストッパー１０３ｂまで移動し、最後に、カード１６と電気ピン１０１とが連接される時、伝熱材１１とカード１６とが接触密着し、カード１６が放熱される。
【００１４】
カード１６を取り出す時、圧迫コンロッド１８５を後へ押すと、コンロッド１８４を介して連動シート１８３とストッパー１８６が、前へ移動するように連動され、そして、カード１６が、フレーム１０から取り戻され、また、該弾性素子１０６も回復になることにより、下押え機構１２が押し戻され、下押え機構１２は、カード１６が取り出されるとともに、少しずつ上へ且つ前へ移動して、斜めの案内槽１０３の上ストッパー１０３ａの位置に戻す。また、カードがない状態は、フレーム１０の後端に位置する弾性素子１０６が、連動ブロック１２３に抵当して、下押え機構１２の案内柱１２２が該上ストッパー１０３ａに定位され、これにより、落差距離が形成され、カード１６が、容易に挿入される。これにより、カードを挿入や取り出す過程において、放熱シートとの摩擦を防止でき、カードが損害されることがない。
【００１５】
本考案は、ＰＣＭＣＩＡカードコネクタに適用するだけでなく、例えば、ＣＦメモリカードコネクタの他のカードコネクタにも適用できる。
【図面の簡単な説明】
【００１６】
【図１】従来技術図
【図２】本考案に係わる放熱器付きのコネクタ構造の立体図
【図３】本考案に係わる放熱器付きのコネクタ構造の立体分解図
【図３Ａ】本考案に係わる斜めの案内槽の拡大図
【図４Ａ】本考案のカードを挿入する前の実施例の側面図
【図４Ｂ】図４Ａの実施例の断面図
【図５Ａ】本考案のカードを挿入した後の実施例の側面図
【図５Ｂ】図５Ａの実施例の断面図
【図６】本考案に更にカード戻し機構が設けられる時の立体分解図
【図７Ａ】本考案に更にカード戻し機構が設けられ、カードを挿入する前の実施例の下面図
【図７Ｂ】本考案に更にカード戻し機構が設けられ、カードを挿入する前の実施例の側面図
【図７Ｃ】図７Ａの実施例の断面図
【図８Ａ】本考案に更にカード戻し機構が設けられ、カードを挿入した後の実施例の下面図
【図８Ｂ】本考案に更にカード戻し機構が設けられ、カードを挿入した後の実施例の側面図
【図８Ｃ】図８Ａの実施例の断面図
【符号の説明】
【００１７】
１        コネクタ
２        放熱装置
３        コネクタ部
４        弾性装置
５        圧迫棒
６        カム部
７        第１のカム面
８        第２のカム面
Ｃ        カード
１０        フレーム
１０１      電気ピン
１０２      ガイドアーム
１０３      斜めの案内槽
１０３ａ    上ストッパー
１０３ｂ    下ストッパー
１０４      ガードレール
１０５      ネジ
１０６      弾性素子
１１        伝熱材
１２        下押え機構
１２１      サイドアーム
１２２      案内柱
１２３      連動ブロック
１４        放熱シート
１４１      放熱フィン
１６        カード
１８        カード戻し機構
１８１      底枠
１８２      支軸
１８３      連動シート
１８４      コンロッド
１８５      圧迫コンロッド
１８６      ストッパー
【図１】
0003132340.tif 000003
【図２】
0003132340.tif 000004
【図３】
0003132340.tif 000005
【図３Ａ】
0003132340.tif 000006
【図４Ａ】
0003132340.tif 000007
【図４Ｂ】
0003132340.tif 000008
【図５Ａ】
0003132340.tif 000009
【図５Ｂ】
0003132340.tif 000010
【図６】
0003132340.tif 000011
【図７Ａ】
0003132340.tif 000012
【図７Ｂ】
0003132340.tif 000013
【図７Ｃ】
0003132340.tif 000014
【図８Ａ】
0003132340.tif 000015
【図８Ｂ】
0003132340.tif 000016
【図８Ｃ】
0003132340.tif 000017